(57)【要約】【課題】ケーブルに生物自体が近寄ることを防止することによりケーブルの断線を広い範囲にわたって効率的かつ簡単に防止し得る生物近寄り防止方法および該方法に使用される発信装置を提供する。【解決手段】架空ケーブル３の任意の点に発信装置５を接続し、任意の他の点に引込手段を接続し、発信装置５からの微弱電流を発信装置の接続点から発信装置５に供給し、架空ケーブル３を経由して引込手段の接続点まで流すことで発信装置５の接続点から引込手段の接続点までの架空ケーブル３から電磁界を発生させて生物の近寄りを防止する。【選択図】      図１
2004328976.tif 000002
【特許請求の範囲】
【請求項１】
電気信号または電力を伝送するケーブル本体または光信号を伝送する光ケーブルに生物が近寄って損傷させることを防止する生物近寄り防止方法であって、
前記ケーブル本体の導電体または該ケーブル本体を支持している導電性のある支持ケーブルの導電体または前記光ケーブルを支持している導電性のある支持ケーブルの導電体または前記ケーブル本体または支持ケーブルを被覆している被覆体を構成している導電体の任意の点に微弱電流を供給し得る発信装置を接続し、
前記導電体の任意の他の点に前記発信装置からの微弱電流を引き込む引込手段を接続し、
発信装置からの微弱電流を発信装置の接続点から導電体に供給し、該導電体を経由して引込手段の接続点まで流すことで導電体から電磁界を発生させて生物の近寄りを防止する
ことを特徴とする生物近寄り防止方法。
【請求項２】
前記微弱電流は、生物が嫌う所定の周波数成分を有し、所定の周期的パターンで連続的に生成されることを特徴とする請求項１記載の生物近寄り防止方法。
【請求項３】
前記微弱電流は、周波数が生物の嫌う所定の周波数範囲内において所定の周期で変動することを特徴とする請求項１記載の生物近寄り防止方法。
【請求項４】
請求項１記載の生物近寄り防止方法に使用される発信装置であって、
微弱電流を発生する発信回路と、
この微弱電流を増幅する増幅回路と、
この増幅された微弱電流を前記導電体に流すべく導電体に接続される接続部と、
前記発信回路から出力される微弱電流の周波数、周波数範囲、周期および電圧または電流を制御する制御回路と
を有することを特徴とする発信装置。
【請求項５】
前記微弱電流は、生物が嫌う所定の周波数成分を有し、所定の周期的パターンで連続的に生成されることを特徴とする請求項４記載の発信装置。
【請求項６】
前記微弱電流は、周波数が生物の嫌う所定の周波数範囲内において所定の周期で変動することを特徴とする請求項４記載の発信装置。
【発明の詳細な説明】
【０００１】
【発明の属する技術分野】
本発明は、架空ケーブルに生物が近寄って損傷させることを防止する生物近寄り防止方法および該方法に使用される発信装置に関し、更に詳しくは、電気信号または電力を伝送するケーブル本体または光信号を伝送する光ケーブルに生物が近寄って損傷させることを防止する生物近寄り防止方法および該方法に使用される発信装置に関する。
【０００２】
【従来の技術】
例えば、電話線などの架空ケーブルは、例えばねずみなどの生物によって外皮を齧られ、更にケーブルの導線も齧られて損傷し、断線したり、断線し易くなる。このような生物としては、ねずみ以外に例えば、ムササビ、モモンガ、リスなどのげっ歯類動物、コウモリガ幼虫、せみ、蟻などの昆虫、カラス、鳩、雀、キツツキなどの鳥類がある。
【０００３】
このような生物からの損傷を防止するために、従来は、架空ケーブルの外皮に防リスシートや防リステープなどの鋼帯を巻き付け、架空ケーブルが生物に齧られても、架空ケーブルの内部の通信線が断線しないようにしている。なお、防リスシートは、粘着テープ上に帯状のステンレスを張り付けた例えば長さが１メートル程度のものであって、架空ケーブルの直線部に巻き付けるものである。また、防リステープは、粘着テープ上にメッシュ状のステンレスを張り付けた例えば長さが２メートル程度のものであって、架空ケーブルの曲部に巻き付けるものである。（例えば、非特許文献１参照）
【０００４】
【非特許文献１】
所外通信設備のトラブルＱ＆Ａ  ｐ，１４０−１５２  ＮＴＴ東日本技術協力センタ偏
【０００５】
【発明が解決しようとする課題】
従来は、架空ケーブルが生物によって齧られないように架空ケーブルの外皮に防リスシートや防リステープなどの鋼帯を巻き付けるものであるため、架空ケーブルに生物が近寄ることは防止できないとともに、架空ケーブルの全体にわたって鋼帯を巻き付けることは不可能に近く、鋼帯を巻き付けていない部分を齧られて、この部分が断線したり、断線し易くなるという問題がある。
【０００６】
本発明は、上記に鑑みてなされたもので、その目的とするところは、ケーブルに生物自体が近寄ることを防止することによりケーブルの断線を広い範囲にわたって効率的かつ簡単に防止し得る生物近寄り防止方法および該方法に使用される発信装置を提供することにある。
【０００７】
【課題を解決するための手段】
上記目的を達成するため、請求項１記載の本発明は、電気信号または電力を伝送するケーブル本体または光信号を伝送する光ケーブルに生物が近寄って損傷させることを防止する生物近寄り防止方法であって、前記ケーブル本体の導電体または該ケーブル本体を支持している導電性のある支持ケーブルの導電体または前記光ケーブルを支持している導電性のある支持ケーブルの導電体または前記ケーブル本体または支持ケーブルを被覆している被覆体を構成している導電体の任意の点に微弱電流を供給し得る発信装置を接続し、前記導電体の任意の他の点に前記発信装置からの微弱電流を引き込む引込手段を接続し、発信装置からの微弱電流を発信装置の接続点から導電体に供給し、該導電体を経由して引込手段の接続点まで流すことで導電体から電磁界を発生させて生物の近寄りを防止することを要旨とする。
【０００８】
請求項１記載の本発明にあっては、ケーブル本体または支持ケーブルまたは被覆体の導電体の任意の点に発信装置を接続し、任意の他の点に引込手段を接続し、発信装置からの微弱電流を発信装置の接続点から導電体に供給し、該導電体を経由して引込手段の接続点まで流すことで発信装置の接続点から引込手段の接続点までの導電体から電磁界を発生させて生物の近寄りを防止するため、生物の近寄りを防止したいケーブルの任意の２点に発信装置と引込手段を接続するだけで、広い範囲にわたって生物が近寄ることを非常に簡単かつ効率的に防止することができ、従来のように、いちいち架空ケーブル３に対して鋼帯を巻くというような非効率的で手間がかかり、煩わしい作業を行う必要もないし、または鋼帯を巻き忘れたり、巻かなかった部分がないかを確認することも不要である。
【０００９】
また、請求項２記載の本発明は、請求項１記載の発明において、前記微弱電流が、生物が嫌う所定の周波数成分を有し、所定の周期的パターンで連続的に生成されることを要旨とする。
【００１０】
請求項２記載の本発明にあっては、生物が嫌う所定の周波数成分を有し、所定の周期的パターンで連続的に生成される微弱電流を流すため、生物の近寄りを適確に防止することができる。
【００１１】
更に、請求項３記載の本発明は、請求項１記載の発明において、前記微弱電流は周波数が生物の嫌う所定の周波数範囲内において所定の周期で変動することを要旨とする。
【００１２】
請求項３記載の本発明にあっては、周波数が生物の嫌う所定の周波数範囲内において所定の周期で変動する微弱電流を流すため、生物の近寄りを適確に防止することができる。
【００１３】
請求項４記載の本発明は、生物近寄り防止方法に使用される発信装置であって、微弱電流を発生する発信回路と、この微弱電流を増幅する増幅回路と、この増幅された微弱電流を前記ケーブルに流すべくケーブルに接続される接続部と、前記発信回路から出力される微弱電流の周波数、周波数範囲、周期および電圧または電流を制御する制御回路とを有することを要旨とする。
【００１４】
請求項４記載の本発明にあっては、制御回路の制御で発信回路１３からの微弱電流として周波数が生物の嫌う所定の周波数範囲内において所定の周期で変動する周波数の微弱電流を生成し、この微弱電流を増幅し接続部１７を介してケーブルの導電体に供給することによりケーブルの導電体から電磁界を発生させて生物の近寄りを防止するため、生物の近寄りを防止したいケーブルの任意の２点に発信装置と引込手段を接続するだけで、生物が近寄ることを非常に簡単かつ効率的に防止することができ、従来のように、いちいち架空ケーブル３に対して鋼帯を巻くというような非効率的で手間がかかり、煩わしい作業を行う必要もないし、または鋼帯を巻き忘れたり、巻かなかった部分がないかを確認することも不要である。
【００１５】
また、請求項５記載の本発明は、請求項４記載の発明において、前記微弱電流は生物が嫌う所定の周波数成分を有し、所定の周期的パターンで連続的に生成されることを要旨とする。
【００１６】
請求項５記載の本発明にあっては、生物が嫌う所定の周波数成分を有し、所定の周期的パターンで連続的に生成される周波数の微弱電流を流すため、生物の近寄りを適確に防止することができる。
【００１７】
更に、請求項６記載の本発明は、請求項４記載の発明において、前記微弱電流は周波数が所定の周波数範囲内において所定の周期で変動することを要旨とする。
【００１８】
請求項６記載の本発明にあっては、周波数が生物の嫌う所定の周波数範囲内において所定の周期で変動する周波数の微弱電流を流すため、生物の近寄りを適確に防止することができる。
【００１９】
【発明の実施の形態】
以下、図面を用いて本発明の実施の形態を説明する。図１は、本発明の一実施形態に係わる生物近寄り防止方法を説明するための図である。
【００２０】
図１に示す実施形態の生物近寄り防止方法は、同図に示すように、電柱１に架け渡されて伸びている例えば電話線などの架空ケーブル３に微弱電流を流すことにより架空ケーブル３に生物が近寄ることを防止しようとするものであって、微弱電流を出力する発信装置５を電柱１に取り付け、この発信装置５を架空ケーブル３に接続するとともに、架空ケーブル３の図示しない任意の他の点に発信装置５からの微弱電流を引き込むための引込手段を接続する。
【００２１】
そして、発信装置５から架空ケーブル３に対して微弱電流を供給して、架空ケーブル３に微弱電流を流し込み、この微弱電流を架空ケーブル３を経由させて図示しない任意の他の点に接続した引込手段まで流し、これにより発信装置５の接続点から引込手段の接続点までの架空ケーブル３に微弱電流が流れ、この範囲の架空ケーブル３の周囲に生物の嫌う電磁界７を架空ケーブル３から発生し、生物の架空ケーブル３への近寄りを防止する。
【００２２】
発信装置５は、詳細には図２に示すように、装置全体を制御するとともに、架空ケーブル３に流す微弱電流の周波数、周波数範囲、周期および電圧または電流を制御する制御回路１１、この制御回路１１からの制御により周波数が所定の周波数範囲において所定の周期で変動する微弱電流を発生する発信回路１３、この発信回路１３からの微弱電流を増幅する増幅回路１５、およびこの増幅回路１５で増幅された微弱電流を架空ケーブル３に供給すべく接続される接続部１７から構成されている。なお、この発信装置５の電源は、架空ケーブル３を構成している通信線などの電源を利用することが可能である。
【００２３】
なお、接続部１７は、増幅回路１５の出力を架空ケーブル３に対して例えばコンデンサを介して容量結合したり、またはコイルを介して誘導結合するなどの種々の方法で接続するとともに、架空ケーブル３への影響がないように接続部１７または増幅回路１５の出力側が高インピーダンスに構成されている。また、前記引込手段は、同様にコンデンサまたはコイルなどを介して架空ケーブル３に高インピーダンスで接続されるとともに、他端側がアースとして発信装置５のアースに対して大地を介して共通に接続されているかまたは架空ケーブル３の他の線を介して共通に接続されている。
【００２４】
発信装置５から架空ケーブル３に供給される微弱電流は、制御回路１１の制御により生物が嫌う所定の周波数成分を有し、所定の周期的パターンで連続的に生成されるかまたは周波数が生物の嫌う所定の周波数範囲内において所定の周期で変動するようになっている。
【００２５】
発信装置５から架空ケーブル３に供給される微弱電流は、具体的には図３に示すように、生物の嫌う周波数として例えば２０ｋＨｚ〜５０ｋＨｚの周波数範囲で所定の周期で周期的に変動するものであるとともに、その振幅電圧は例えば１０ボルト（Ｖ）程度である。
【００２６】
上記実施形態の生物近寄り防止方法では、架空ケーブル３の生物が近寄りそうな任意の２点の一方に発信装置５を接続するとともに、他方に引込手段を接続し、発信装置５から架空ケーブル３を介して引込手段に微弱電流を流すことにより、架空ケーブル３の周囲に生物の嫌う電磁界が発生し、これにより生物が架空ケーブル３に近寄ることを防止することができ、引いては架空ケーブル３が生物により齧られることもなくなり、架空ケーブル３の断線などの損傷がなくなる。また、微弱電流として、生物の嫌う例えば２０ｋＨｚ〜５０ｋＨｚの周波数範囲の周波数を周期的に変動するように発生させることにより、この周波数範囲の周波数を嫌う複数の生物、例えば前記ねずみ、ムササビ、モモンガ、リスなどのげっ歯類動物、コウモリガ幼虫、せみ、蟻などの昆虫、カラス、鳩、雀、キツツキなどの鳥類などの生物の近寄りを防止することができる。
【００２７】
また、本実施形態の生物近寄り防止方法は、単に架空ケーブル３の２点の一方に発信装置５を接続し、他方に引込手段を接続すればよいものであるため、例えば発信装置５を架空ケーブル３の始点に接続し、引込手段を架空ケーブル３の終点で接続することにより、架空ケーブル３の全体に対して生物が近寄ることを非常に簡単に防止することができる。従って、従来のように、いちいち架空ケーブル３に対して鋼帯を巻くというような非効率的で手間がかかり、煩わしい作業を行う必要もないし、または鋼帯を巻き忘れたり、巻かなかった部分がないかを確認することも不要である。
【００２８】
また、架空ケーブル３の任意の点に発信装置５を接続するとともに、この点とは別の任意の他の複数の点に引込手段を接続し、１個の発信装置５から複数の引込手段に対して微弱電流を流して、発信装置５の接続点から複数の引込手段の接続点までの架空ケーブル３に対して生物が近寄ることを防止することも可能である。
【００２９】
なお、上記実施形態では、架空ケーブル３として例えば電話線７電力線などのように実際に電気信号または電力が流れるケーブルに対して発信装置５や引込手段を接続して微弱電流を流すようにしているが、本発明は、これに限定されるものでなく、このようなケーブルを支持しているような導電性のあるケーブルの導電体、更には電気信号や電力でなく、光信号を伝送する光ファイバなどの伝送路である光ケーブルを支持している導電性のあるケーブルの導電体などのように微弱電流を流すことができるケーブル自体のみならず、ケーブルの支持体である導電体、またこれらのケーブルに限らず、これらのケーブルまたは伝送路自体を被覆している導電性のある被覆体からなる導電体などのように微弱電流を流すことが被覆体にも適用し得るものである。
【００３０】
すなわち、電気信号または電力を伝送するケーブル本体の導電体または該ケーブル本体を支持している導電性のある支持ケーブルの導電体または光ケーブルを支持している導電性のある支持ケーブルの導電体または前記ケーブル本体または支持ケーブルを被覆している被覆体を構成している導電体のすべてに適用可能であり、この導電体の任意の点に微弱電流を供給し得る発信装置を接続し、他の任意の点に引込手段を接続して、該導電体に微弱電流を流すことにより、生物の近寄りを防止することができる。
【００３１】
なお、上記のうち、光ケーブルを支持している支持ケーブルは、光ケーブルに近接して平行に設けられ、該光ケーブルを例えば８の字形のように吊り下げて支持している支持ケーブルや光ケーブルを構成している複数の光ファイバを支持するように該複数の光ファイバの中心に設けられている支持ケーブルなどがある。
【００３２】
【発明の効果】
以上説明したように、本発明によれば、ケーブル本体または支持ケーブルまたは被覆体の導電体の任意の点に発信装置を接続し、任意の他の点に引込手段を接続し、発信装置からの微弱電流を発信装置の接続点から導電体に供給し、該導電体を経由して引込手段の接続点まで流すことで発信装置の接続点から引込手段の接続点までの導電体から電磁界を発生させて生物の近寄りを防止するので、生物の近寄りを防止したいケーブルの任意の２点に発信装置と引込手段を接続するだけで、広い範囲にわたって生物が近寄ることを非常に簡単かつ効率的に防止することができ、従来のように、いちいち架空ケーブル３に対して鋼帯を巻くというような非効率的で手間がかかり、煩わしい作業を行う必要もないし、または鋼帯を巻き忘れたり、巻かなかった部分がないかを確認することも不要である。
【００３３】
また、本発明によれば、生物が嫌う所定の周波数成分を有し、所定の周期的パターンで連続的に生成される微弱電流または周波数が生物が嫌う所定の周波数範囲内において所定の周期で変動する微弱電流を流すので、生物の近寄りを適確に防止することができる。
【図面の簡単な説明】
【図１】本発明の一実施形態に係わる生物近寄り防止方法を説明するための図である。
【図２】図１に示す実施形態の生物近寄り防止方法に使用される発信装置の構成を示す図である。
【図３】図１に示す実施形態において発信装置から架空ケーブルに流される微弱電流の周波数範囲と周期性を示す図である。
【符号の説明】
１  電柱
３  架空ケーブル
５  発信装置
１１  制御回路
１３  発信回路
１５  増幅回路
１７  接続部
【図１】
2004328976.tif 000003
【図２】
2004328976.tif 000004
【図３】
2004328976.tif 000005